【手続補正書】
【提出日】平成16年2月3日(2004.2.3)
【手続補正１】
【補正対象書類名】明細書
【補正対象項目名】全文
【補正方法】変更
【補正の内容】
【発明の名称】キャビネット
【特許請求の範囲】
【請求項１】巾木を有するトイレ室内に後付けされ、該トイレ室内の横壁に接合し、かつ巾木を避ける切欠きを有する側面を有するキャビネット。
【請求項２】巾木を有するトイレ室内に後付けされ、該巾木上に扉のヒンジ部を有するキャビネット。
【請求項３】巾木を有するトイレ室内に後付けされ、該トイレ室内の横壁に接合し、かつ巾木を避ける切欠きを有する扉のヒンジ部を有するキャビネット。
【請求項４】巾木を有するトイレ室内に後付けされ、便器とキャビネットの間に介在させた押付部により、右及び左キャビネットをトイレ室内の横壁に押え付けて固定することを特徴とするキャビネット。
【請求項５】請求項１ないし４いずれか記載のキャビネットにおいて、給水管を隠蔽する隠蔽部を有することを特徴とするキャビネット。
【発明の詳細な説明】
【０００１】
【発明の属する技術分野】
本発明は、トイレ室内に後付けされ、キャビネットの改良に関する。
【０００２】
【従来の技術】
従来より、トイレ室内に後付けされるキャビネットが知られている。
【０００３】
【発明が解決しようとする課題】
しかし、こうしたキャビネットは、トイレ室に巾木があるため、この巾木を除けて配置しなければならず、トイレ室内を有効に利用できないという問題があった。また、キャビネットとトイレ室の横壁の間に巾木分の隙間が発生し、その隙間の清掃が面倒であるという問題もあった。
【０００４】
本発明は、上記従来の技術の問題を解決するものであり、第一には、トイレ室内に巾木があってもトイレ室内を有効に利用できるキャビネットを提供することを目的とする。
【０００５】
また、第二には、キャビネットと横壁の間に巾木分の隙間の清掃が面倒とならないキャビネットを提供することを目的とする。
【０００６】
【０００７】
【０００８】
【課題を解決するための手段】
上記課題を解決するためになされた第一の発明のキャビネットは、巾木を有するトイレ室内に後付けされ、該トイレ室内の横壁に接合し、かつ巾木を避ける切欠きを有する側面を有する。
【０００９】
第二の発明のキャビネットでは、トイレ室内に巾木があっても、キャビネットと横壁の間に隙間が形成されないため、清掃が面倒でない。
【００１０】
上記課題を解決するためになされた第二の発明のキャビネットは、巾木を有するトイレ室内に立設して配置され、該巾木上に扉のヒンジ部を有する。
【００１１】
第二の発明のキャビネットでは、巾木上に扉のヒンジ部を有するため、トイレ室内に巾木があってもトイレ室内を有効に利用できる。
【００１２】
上記課題を解決するためになされた第三の発明のキャビネットは、巾木を有するトイレ室内に後付けされ、該トイレ室内の横壁に接合し、かつ巾木を避ける凹部を有する扉のヒンジ部を有し、トイレ室内に巾木があっても、キャビネットと横壁の間に隙間が形成されないため、清掃が面倒でない。
【００１３】
第四の発明のキャビネットでは、便器と横壁との間に介在させた押付部により、右及び左キャビネットをトイレ室内の横壁に押え付けて固定するので施工性も優れ、また押付部を伸縮自在にすることによって、間口の異なったトイレにも容易に対応できる。
【００１４】
また、給水管を隠蔽する隠蔽部を有すること場合には、給水管が露出することが回避され、デザイン性に優れる。
【００１５】
【発明の実施の形態】
以上説明した本発明の構成・作用を一層明らかにするために、以下本発明の好適な実施例について説明する。
【００１６】
図１は本発明の一実施の形態にかかる収納空間形成部材（キャビネット）を設置したトイレ室内を示す斜視図、図２は図１の２−２線に沿った断面図である。図１及び図２において、洋式便器１０は、ボール部１１を有する便器本体１２上に便座１３及び便蓋１４を備えており、トイレ室内のほぼ中央に設置されている。この洋式便器１０の後部であり、つまりトイレ室内の奥側には、トイレ用収納ボックス４０が設けられている。
【００１７】
トイレ用収納ボックス４０は、内部に洗浄タンク２０（図２） や配管を配置するとともにトイレットペーパーなどを収納するものであり、洋式便器１０の後部に立設配置された前面パネル５０と、前面パネル５０（タンク前 パネル）の左右両側に配置された右キャビネット６０Ｒおよび左キャビネット６０Ｌと、手洗カウンタ８０とを備えている。
【００１８】
また、トイレ 用収納ボックス４０のうち左キャビネット６０Ｌ及び右キャビネット６０Ｒの側面には、トイレ室内の巾木を避けるための切欠き（高さ１００ｍｍ、巾 １０ｍｍ）が設けられている。したがって、左キャビネット６０Ｌとトイレ室の横壁（図示しない）、右キャビネット６０Ｒとトイレ室の横壁（図示しない）の 間に隙間が形成されないため、清掃が面倒でない。また、左キャビネット６０Ｌ及び右キャビネット６０Ｒは、巾木上にも収納空間を形成することができるの で、全体の収納空間が大きくできる。
【００１９】
なお、切欠きは、トイレ室内の巾木を避けるためのものであるから、その高さ、巾は巾木に応じて任意の大きさに変更できることは勿論である。
【００２０】
図３は洗浄水タンク２０や前面パネル５０を設置する前における便器本体１２の後部付近を示す斜視図である。便器本体１２の後部には、２点鎖線で示す洗浄水タンク２０を固定するためのタンク取付部１５が一体に形成されている。
【００２１】
図４は図３の タンク取付部１５の付近の拡大図である。タンク取付部１５は、その上面にタンク載置部１５ａを有する支持基部１５ｂと、この支持基部１５ｂと便器本体１２ とを連結する連結部１５ｃとを備えている。上記タンク載置部１５ｂは、洗浄水タンク２０を載置する部位であり、その両側にフランジ部１５ｄ、１５ｄを備えている。フランジ部１５ｄ、１５ｄには、ボルト（図示省略）により洗浄水タンク２０を固定するための取付穴１５ｅ、１５ｅが穿設されている。この挿入ス ペース１５ｆ、１５ｆは、フランジ部１５ｄ、１５ｄと便器本体１２の後部との間に形成されており、上記前面パネル５０を挿入するための間隙である。また、 タンク載置部１５ａ及び支持基部１５ｂには、洗浄水タンク２０の洗浄水ボール部１１（図１参照）に導くための通水孔１５ｇが形成されている。
【００２２】
図２に戻り、前面パネル５０は、便器本体１２の後部に設置される化粧板であり、洗浄水タンク２０を設置するためのタンク設置スペース５０Ｓを形成している。また、図３に 示すように、前面パネル５０には、その下部中央に挿入用切欠き５２が形成されている。この挿入用切欠き５２は、タンク取付部１５の連結部１５ｃの上方から 挿入されるように形成されており、その側縁部５２ａ、５２ａにより連結部１５ｃの両側を挟持する。また、前面パネルは、挿入スペース１５ｆ、１５ｆに挿入 されたとき、その間隙ｗ１よりわずか薄い板厚ｔ１に形成されている。なお、便器本体１２の後部には、該便器本体１２の上面より後方に向けてせり上がっている傾斜部１５ｈが形成されており、この傾斜部１５ｈは、挿入切欠き５２の上縁部５２ｂを隠すように形成されている。
【００２３】
また、図１に示すように、前面パネル５０の両側には、右キャビネット６０Ｒ及び左キャビネット６０Ｌがそれぞれ配置されている。
【００２４】
図５は、右キャビネット６０Ｒを示す斜視図、図６は図５の６−６線に沿った断面図である。右キャビネット６０Ｒは、前板部６１Ｒ（キャビネット前パネル）と、天板部６２Ｒと、側板部６３Ｒとを備え、これらにより収納スペース６０ＲＳが形成されている。また、収納スペース６０ＲＳは、タンク設置スペース５０Ｓ（図２参照）側が開放されており、上収納棚６５及び下収納棚６６を上下に配置している。
【００２５】
上収納棚６５は、収納スペース６５ａを有し、前面を扉６５ｂで開閉自在になっており、その背板部６２Ｒの奥行きと同じ長さになっている。一方、下収納棚 ６６は、上収納棚６５と同様に、収納スペース６６ａを有し、前面を下扉６６ｂで開閉自在になっており、その背板部６６ｃが天板部６２Ｒの奥行きと同じ長さ になっている。上記右キャビネット６０Ｒは、背板部６５ｃ、６６ｃでトイレ室の奥壁面ＴＷａに固定ねじ６７ａ、６７ｂでねじ止め固定されている。
【００２６】
なお、扉６５ｂは、ヒンジ部（図５の横面図である図２３参照）によって右キャビネット６０Ｒに軸支されているのであるが、このヒンジ部は巾木上に配設されているため、トイレ室内に巾木があってもトイレ室内を有効に利用できる。
【００２７】
一方、図７の斜視図に示すように、左キャビネット６０Ｌは、前板部６１Ｌ（キャビネット前パネル）と、天板部６２Ｌと、側板部６３Ｌとを備え、内部に収納スペース６０ＬＳ（図２参照）が形成されている。収納スペース６０ＬＳは、図２に 示すように給水管３０や排便管３１などを配置するスペースであり、前板部６１Ｌに設けた点検用扉６８を開くことにより洋式便器１０側に開放されるように なっている。上記左キャビネット６０Ｌは、天板部６２Ｌの内面とトイレ室の奥壁面ＴＷａとの間に介在するＬ字形取付金具６９ａと、側板部６３Ｌの内面とト イレ室の奥壁面ＴＷａとの間に介在するＬ字形取付金具６９ｂにより奥壁面ＴＷａにねじ止め固定されている。
【００２８】
また、図２の要部である図８に 示すように、右及び左キャビネット６０Ｒ、６０Ｌの前板部６１Ｒ、６１Ｌは、前面パネル５０に対してオーバーラップ可能なように、つまりその前内側縁部 ６１Ｒａ、６１Ｌａが、前面パネル５０の右側縁部５３ｃ及び左側縁部５３ｄにそれぞれオーバーラップするように前面パネル５０に対して奥側に配置されている。この構成において、右及び左キャビネット６０Ｒ、６０Ｌは、それ自体が独立しているので、図９に示すように、右及び左キャビネット６０Ｒ、６０Ｌの設置位置を変更することにより、上記オーバーラップしている長さをＬ１からＬ２に変えることができる。
【００２９】
さらに、図１に戻り、前面パネル５０の上部には、手洗カウンタ８０が設置されている。手洗カウンタ８０は、右及び左キャビネット６０Ｒ、６０Ｌの内側にわたって設置されている。この手洗カウンタ８０は、給水管３０（図２）に分岐接続された手洗カウンタ８１と、この手洗カラン８１から吐出した洗浄水を受ける手洗シンク８２とを備えている。
【００３０】
次に、洋式便器１０及びトイレ用収納ボックス４０をトイレ室に設置する施工作業について説明する。図１０はトイレ室の床面ＴＦを見た図であり、そのコーナーに給水管３０及び排便管３１が施工されている。まず、床面ＴＦに型紙Ｓｈを敷設した後に、床面ＴＦの所定箇所に前部固定片１８ａ及び後部固定１８ｂを固定ビス１８ｃ及び座金１８ｄを用いてそれぞれ固定する。
【００３１】
続いて、図１１に示すように、排便管３１に排水ジョイント３２の一方の口をホースバンド３３ａを用いて固定し、さらに図１２に示すように、排水ジョイント３２の他方の口を便器本体１２の便器排出口１６ａにホースバンド３３ｂを用いて固定する。
【００３２】
次に、便器本体１２のタンク取付部１５に洗浄水タンク２０を取り付ける。図１３は 洗浄水タンク２０を取り付ける前の状態を示す。すなわち、洗浄水タンク２０の下部のボルト２２ｄを取付穴１５ｅ、１５ｅに挿入するとともに、給水口２３を 通水孔１５ｇに挿入して、洗浄水タンク２０の下面をタンク載置部１５ａに載置する。その後、三角パッキン２２ａ、座金２２ｂ及びナット２２ｃｗを用いてボルト２２ｄに締結する。これにより、洗浄水タンク２０がタンク取付部１５に固定される。続いて、給水管３０（図２参照）に連結管（図示省略）を介して洗浄水タンク２０内のボールタップ（図示省略）に接続する。
【００３３】
続いて、右及び左キャビネット６０Ｒ、６０Ｌを設置する。図１４は右及び左キャビネット６０Ｒ、６０Ｌを設置する前の状態を示す斜視図である。図１４及び図６に示すように、右キャビネット６０Ｒは、天板部６２Ｒ及び側板部６３Ｒの奥側の１辺及び背板部６５ｃ、６６ｃをトイレ室の奥壁面ＴＷａに背板部６６ｃを固定する。これにより、右キャビネット６０Ｒがトイレ室に設置される。
【００３４】
一方、図１４及び図７に 示すように、左キャビネット６０Ｌは、Ｌ字型取付金具６９ａの一片を天板部６２Ｌに押し当てるとともにその他片を奥壁面ＴＷａに押し当てて取付けねじ６９ｃで固定する。また、Ｌ字型取付金具６９ｂの一片を側板部６３Ｌの内面に押し当てるとともに他片を奥壁面ＴＷａに押し当てて取付ねじ６９ｄで固定する。このとき、点検用扉６８を開いてそのスペースを利用すれば、容易にねじ止め作業を行うことができる。これにより、左キャビネット６０Ｌがトイレ室に設 置される。
【００３５】
続いて、図１５に示すように、前面パネル５０を便器本体１２の後部に取り付けるが、その前の作業として、前面パネル５０に洗浄水タンク２０の付属部品を取り付ける。すなわち、図１６に示すように、前面パネル５０のパネル裏面５１ｂにタンク固定金具２４をビス２４ａで固定するとともに、図１７に示すように、前面パネル５０のパネル表面５１ａ側からレバーハンドル２５のスピンドル２５ａを角穴５４に挿入し、そしてレバーハンドル２５をパッキン２５ｂ及びナット２５ｃで角穴５４に固定する。
【００３６】
そして、図１５に示すように、便器本体１２を手前に引き出し、この状態にて、前面パネル５０を便器本体１２の後部に取り付ける。すなわち、図３に示すように前面パネル５０を便器本体１２の後部と洗浄水タンク２０との間に差し込む。このとき、図１８に示すように、タンク固定金具２４により洗浄水タンク２０の上端部を固定する。
【００３７】
また、前面パネル５０の取り付けにあたっては、図３及び図１９に 示すように挿入用切欠き５２をタンク取付部１５の連結部１５ｃに位置合わせし、さらに、前面パネル５０が右キャビネット６０Ｒの前板部６１Ｒ及び左キャビ ネット６０Ｌの手前であり、しかもオーバーラップするように位置合わせして、前面パネル５０を差し込む。これにより、前面パネル５０は、挿入スペース １５ｆ、１５ｆ内に挿入されるとともに、挿入用切欠き５２が連結部１５ｃを跨いで、便器本体１２の後部に取り付けられる。
【００３８】
続いて、図１９に示すように、便器本体１２を矢印方向ｄ２へ移動する。これにより、前面パネル５０は、便器本体１２の後部に押されて、右キャビネット６０Ｒの前板部６１の前板部６１Ｌに押しつけられ、この間の隙間がなくなる。
【００３９】
そして、図２０に示すように、便器本体１２の下部に固定ビス７０ａ、７０ａを用いて前部固定片１８ａ及び後部固定片１８ｂに固定することにより、便器本体１２が床面ＴＦに固定され、さらに化粧キャップ７１ａ、７１ａを被せる。
【００４０】
続いて、洗浄水タンク２０の付属部品、つまりレバーハンドル２５にフロート弁などを設置した後、手洗カウンタ８０の設置及びその配管接続や、便座１３や便 蓋１４などの設置などの作業を行うことにより、洋式便器１０及びトイレ用収納ボックス４０の施工が終了する。
【００４１】
上記トイレ用収納ボック ス４０は、便器本体１２の後部に配置されて洗浄水タンク２０を収納して、該洗浄水タンク２０を便器本体１２側から隠している。つまり、洗浄水タンク２０や その配管などがトイレ用収納ボックス４０に収納されているから優れたデザインとすることができる。しかも、右キャビネット６０Ｒの上及び下収納棚６５、６６には、トイレットペーパーなどを収納できるから、トイレ室内の整理も容易である。また、左キャビネット６０Ｌには、点検用扉６８が設けられており、この点検用扉６８を開ければ、配管や水漏れなどの点検も容易である。
【００４２】
また、図８及び図９に 示すように、右及び左キャビネット６０Ｒ、６０Ｌは、間口方向の設置位置を変更することができ、つまり、前面パネル５０における右側縁部５３ｃ及び左側縁 部５３ｄに、前内側縁部１６Ｒａ及び前内側縁部６１Ｌａにオーバーラップさせる幅をＬ１またはＬ２へと変更することができる。
【００４３】
さらに、手洗カウンタ８０が、前面パネル５０と重合する重合部８０ａを有するので、その重合により、前面パネル５０が洋式便器１０側へ倒れることを回避できる。
【００４４】
図２１及び図２２は図１及び図２に示すより狭い間口に設置したトイレ用収納ボックス４０を示す。すなわち、図２１及び図２２に示すトイレ用収納ボッ クス４０は、便器本体１２の後方に配置した前面パネル５０に対し、その両側に配置した右及び左キャビネット６０Ｒ、６０Ｌとのオーバーラップの幅をＬ２に 変更することにより、収納スペース６０ＲＳ、６０ＬＳの大きさ、及びその開口を変更することができる。これにより、間口の異なったトイレ室に対応すること ができ、しかも間口に合わせるために前面パネル５０の端部を切断するなどの作業も不要となり、施工作業が簡単である。
【００４５】
また、洗浄水タンク２０は、便器本体１２の後部のタンク取付部１５に設置されているから、トイレ用収納ボックス４０に別途、洗浄水タンク２０を設置するための構造を必要とせず、構造が簡単になる。
【００４６】
さらに、前面パネル５０には、挿入用切欠き５２が形成されており、この挿入用切欠き５２を連結部１５ｃに位置合わせして嵌合させれば、便器本体１２に容易に固定することができる。しかも、このように固定した前面パネル５０は、図１９に示すように便器本体１２と一体に移動して、右及び左キャビネット６０Ｒ、６０Ｌの前板部６１Ｒ、６１Ｌに押しつければ、便器本体１２の後部と上記前板部６１Ｒ、６１Ｌとにより挟持された状態で簡単に位置決め固定することができ、取付性に優れている。
【００４７】
しかも、便器本体１２の後部には、傾斜部１５ｈが形成されており、この傾斜部１５ｈが前面パネル５０の挿入用切欠き５２の上縁部５２ｂを隠すから、該挿入用切欠き５２を形成することにより意匠性を損なうこともない。
【００４８】
なお、この発明は上記実施例に限られるものではなく、その要旨を逸脱しない範囲において種々の態様において実施することが可能であり、例えば次のような変形も可能である。
【００４９】
上記実施の形態にかかるトイレ用収納ボックス４０は、便器本体１２の後部にタンク取付部１５を形成し、このタンク取付部１５に載置した洗浄水タンク２０を収納しているが、これに限らず、洗浄水タンク２０を設置するための構成をトイレ用収納ボックス４０自体に形成し、洗浄水タンクと便器本体とを管体などで連結する構成であってもよい。
【００５０】
また、洋式便器１０と右及び左キャビネット６０Ｒ、６０Ｌとの間に、右及び左キャビネット６０Ｒ、６０Ｌ をトイレ室内の横壁に押さえ付けるための押付部（図示しない）を介在させるようにすれば、固定ビス等を使用せず、右及び左キャビネット６０Ｒ、６０Ｌを洋 式便器１０と横壁との間に挟持された状態で簡単に位置決め固定することができ、施工性に優れる。その場合、押付部が伸縮自在であれば、間口の異なったトイ レ室に容易に対応することができる。
【図面の簡単な説明】
【図１】本発明の一実施の形態にかかるトイレ用収納ボックス４０を設置したトイレ室を示す斜視図。
【図２】図１の２−２線に沿った断面図。
【図３】洗浄水タンク２０及び前面パネル５０を設置する前の便器本体１２の後部を示す斜視図。
【図４】図３に示す便器本体１２の後部を拡大して示す斜視図。
【図５】右キャビネット６０Ｒを示す斜視図。
【図６】図５の６−６線に沿った断面図。
【図７】左キャビネット６０Ｌを示す斜視図。
【図８】前面パネル５０と前板部６１Ｒ、６１Ｌの配置関係を説明する説明図。
【図９】図８より前面パネル５０と前板部６１Ｒ、６１Ｌのオーバーラップを大きくした場合を説明する説明図。
【図１０】洋式便器１０を設置する施工作業を説明する説明図。
【図１１】排便管３１と排水ジョイント３２の接続工程を説明する説明図。
【図１２】排水ジョイント３２を便器本体１２の便器排出口１６ａに接続する工程を説明するための説明図。
【図１３】便器本体１２のタンク取付部１５に洗浄水タンク２０を設置する作業を説明するための断面図。
【図１４】トイレ用収納ボックス４０を組立作業を説明するための分解斜視図。
【図１５】便器本体１２の後部に前面パネル５０を取り付ける作業を説明する斜視図。
【図１６】前面パネル５０にタンク固定金具２４を固定する作業を説明するための斜視図。
【図１７】前面パネル５０にレバーハンドル２５を装着する作業を説明するための斜視図。
【図１８】前面パネル５０と洗浄水タンクとの支持構造を説明するための説明図。
【図１９】便器本体１２を移動して前面パネル５０を固定する作業を説明する説明図。
【図２０】便器本体１２を前部及び後部固定片１８ａ、１８ｂに固定する作業を説明するための斜視図。
【図２１】トイレ用収納ボックス４０間口を図１より狭くした状態を示す斜視図。
【図２２】図２１のトイレ用収納ボックス４０を図２に対応する状態で示す斜視図。
【図２３】図５の横断面図。
【符号の説明】
Ｓｈ…型紙、ＴＦ…床面、ＴＷａ…奥壁面、ｄ２…矢印方向、１０…洋式便器、１１…ボール部、１２…便器本体、１３…便座、１４…便蓋、１５…タンク取付部、１５ａ…タンク載置部、１５ｂ…支持基部、１５ｃ…連結部、１５ｄ、１５ｄ…フランジ部、１５ｅ、１５ｅ…取付穴、１５ｆ、１５ｆ…挿入スペース、１５ｇ…通水孔、１５ｈ…傾斜部、１６ａ…便器排出口、１８ａ…前部固定片、１８ｂ…後部固定片、１８ｃ…固定ビス、１８ｄ…座金、２０…洗浄水タンク、２２ａ…三角パッキン、２２ｂ…座金、２２ｃ…ナット、２２ｄ…ボルト
２３… 給水口、２４…タンク固定金具、２４ａ…ビス、２５…レバーハンドル２５ａ…スピンドル、２５ｂ…パッキン、２５ｃ…ナット、３０…給水管、３１…排便管、３２…排水ジョイント、３３ａ…ホースバンド、３３ｂ…ホースバンド、４０…トイレ用収納ボックス、５０…前面パネル、５０Ｓ…タンク設置スペース、５１ａ…パネル表面、５１ｂ…パネル裏面、５２…挿入用切欠き、５２ａ、５２ａ…側縁部、５２ｂ…上縁部、５３ｃ…右側縁部、５３ｄ…左側縁部、５４…角穴、６０Ｌ…左キャビネット、６０ＬＳ…収納スペース、６０Ｒ…右キャビネット、６０ＲＳ…収納スペース、６１Ｌ…前板部、６１Ｌａ…前内側縁部、６１Ｒ…前板部、６１Ｒａ…前内側縁部、６２Ｌ…天板部、６２Ｒ…天板部、６３Ｌ…側板部、６３Ｒ…側板部、６５…上収納棚、６５ａ…収納スペース、６５ｂ…扉、６５ｃ…背板部、６５ｄ…取付穴、６６…下収納棚、６６ａ…収納スペース、６６ｃ…背板部、６６ｄ…取付穴、６７ａ…固定ねじ、６８…点検用扉、６９ａ…Ｌ字形取付金具、６９ｂ…Ｌ字形取付金具、６９ｃ…取付ねじ、６９ｄ…取付ねじ、７０ａ、７０ａ…固定ビス、７１ａ、７１ａ…化粧キャップ、８０…手洗カウンタ、８１…手洗カラン、８２…手洗シンク